(57)【要約】【課題】  電力線通信システムにおいて、通信時の伝送路状態に適した通信を行うこと。【解決手段】  親機１と複数の子機２との間で電力線Ｌを介してデータの通信を行うシステムであって、親機１が、複数のキャリアでアイドル情報を周期的に送信しアイドル情報にキャリアの情報を含めるアイドル情報送信部３と、子機２からのデータを受信する親機側受信部４とを備え、子機２が、アイドル情報を受信するアイドル情報受信部７と、キャリアの情報及び受信状態を統計情報として記憶する統計情報記憶部８と、最新の統計情報に基づいて最適キャリアを選択して送信する最適キャリア情報送信部９と、最適キャリア情報に基づいて親機１にデータを送信するノード側送信部１０とを備え、親機側受信部４が、最適キャリア情報に基づいて自己のキャリアの設定を変更する。【選択図】      図１
2008017185.tif 000002
【特許請求の範囲】
【請求項１】
親機と複数のノードとの間で電力線を介してデータの通信を行う電力線通信システムであって、
前記親機が、自己が休止状態であって受信可能であることを示すアイドル情報を前記ノードに周期的に送信する際に、互いに異なる周波数の複数のキャリアで前記送信を行うと共に前記アイドル情報に前記キャリアの情報を含めて送信するアイドル情報送信部と、
前記ノードから送信されるデータを受信する親機側受信部とを備え、
前記ノードが、前記アイドル情報を受信するアイドル情報受信部と、
前記アイドル情報の受信時に前記キャリアの情報及び受信状態を統計情報として記憶する統計情報記憶部と、
記憶した最新の前記統計情報に基づいて前記キャリアのうち受信状態が良好なものを最適キャリアとして選択した情報を最適キャリア情報として前記親機に送信する最適キャリア情報送信部と、
前記最適キャリア情報に基づいて変更した前記キャリアで前記親機にデータを送信するノード側送信部とを備え、
前記親機側受信部が、受信した前記最適キャリア情報に基づいて自己のキャリアの設定を変更することを特徴とする電力線通信システム。
【請求項２】
請求項１に記載の電力線通信システムにおいて、
前記アイドル情報送信部が、複数の前記キャリアを複数組に分け、これら各組を周期的に切り替えて前記送信を行うことを特徴とする電力線通信システム。
【請求項３】
請求項１又は２に記載の電力線通信システムにおいて、
前記最適キャリア情報送信部が、前記統計情報として記憶した前記キャリア毎の受信パケット数に基づいて前記最適キャリアを選択することを特徴とする電力線通信システム。
【請求項４】
請求項１から３のいずれか一項に記載の電力線通信システムにおいて、
前記キャリアの組を切り替える周期が、１０ｍｓｅｃに設定されていることを特徴とする電力線通信システム。
【請求項５】
請求項１から４のいずれか一項に記載の電力線通信システムにおいて、
前記ノードが、センサ機能を有し、
前記ノード側送信部が、前記センサ機能で計測したデータを送信することを特徴とする電力線通信システム。
【請求項６】
親機と複数のノードとの間で電力線を介してデータの通信を行う電力線通信方法であって、
自己が休止状態であって受信可能であることを示すアイドル情報を前記ノードに周期的に送信する際に、互いに異なる周波数の複数のキャリアで前記送信を行うと共に前記アイドル情報に前記キャリアの情報を含めて送信するステップと、
前記ノードが、前記アイドル情報を受信するステップと、
前記アイドル情報の受信時に前記キャリアの情報及び受信状態を統計情報として記憶するステップと、
記憶した最新の前記統計情報に基づいて前記キャリアのうち受信状態が良好なものを最適キャリアとして選択した情報を最適キャリア情報として前記親機に送信するステップと、
前記最適キャリア情報に基づいて変更した前記キャリアで前記親機にデータを送信するステップとを備え、
前記親機が、受信した前記最適キャリア情報に基づいて自己のキャリアの設定を変更するステップとを有することを特徴とする電力線通信方法。
【請求項７】
親機と複数のノードとの間で電力線を介してデータの通信を行う電力線通信プログラムであって、
自己が休止状態であって受信可能であることを示すアイドル情報を前記ノードに周期的に送信する際に、互いに異なる周波数の複数のキャリアで前記送信を行うと共に前記アイドル情報に前記キャリアの情報を含めて送信するステップと、
前記ノードが、前記アイドル情報を受信するステップと、
前記アイドル情報の受信時に前記キャリアの情報及び受信状態を統計情報として記憶するステップと、
記憶した最新の前記統計情報に基づいて前記キャリアのうち受信状態が良好なものを最適キャリアとして選択した情報を最適キャリア情報として前記親機に送信するステップと、
前記最適キャリア情報に基づいて変更した前記キャリアで前記親機にデータを送信するステップとを備え、
前記親機が、受信した前記最適キャリア情報に基づいて自己のキャリアの設定を変更するステップとをコンピュータに実行させることを特徴とする電力線通信プログラム。
【発明の詳細な説明】
【技術分野】
【０００１】
本発明は、親機と複数のノードとの間で電力線を介してデータ通信を行う電力線通信システム、電力線通信方法及び電力線通信プログラムに関する。
【背景技術】
【０００２】
近年、建物内や車両内等に配線されている電力線を介して通信機器間のデータ通信を行う電力線通信（ＰＬＣ：Power Line Communication）が検討されている。この電力線通信では、電子機器や電気機器が複数接続され他の電子機器等が稼働する場合等において、電力線のインピーダンスやノイズが時々刻々と変化してしまい、ノイズの影響排除や信号の減衰低減を効果的に行うことが難しいため、種々の改良提案がなされている。
【０００３】
例えば、特許文献１では、第１ノードから第２ノードへ多重チャンネルでパケットを所定の伝送速度で伝送し、その際のパケット誤診発生の有無を第２ノードで検索し、その結果を第１ノードに伝送することで、第１ノードでパケットの伝送成功／失敗の情報に基づいて、伝送速度を変えてパケットを第２ノードに伝送する手順を周期的に行う電力線通信システムの適応型多重チャンネルパケットの伝送方法が提案されている。すなわち、この通信技術は、周期的にノード間でパケット伝送を行い、その際のパケット伝送結果から次回の通信時に伝送速度を選択する技術である。これにより、電力線通信システムのノード間の多重チャンネルの環境に適合した最適の速度で安定したパケット伝送を行うようにしている。
【０００４】
【特許文献１】特開２００３−１８０５０号公報
【発明の開示】
【発明が解決しようとする課題】
【０００５】
上記従来の技術には、以下の課題が残されている。
電力線通信における伝送路である電力線の伝送特性は、上述したように、電気・電子機器の接続等により、短い周期で各ノードの伝送路毎に時々刻々と変化している。このため、従来の特許文献１に記載の技術のように、単に前回のパケット伝送の結果に基づいて通信を行う技術では、使用するチャネルの状態が顕著に悪化していると、伝送速度を変更しても良好な伝送特性が得られず、通信時の伝送路の状態に適した通信を行うことがやはり困難であった。
また、複数のノードに対し、周波数帯域の使用可能な全キャリアにおいて同時にパケット伝送を行い、ノード毎に全キャリアの伝送特性を調べることは、高い処理能力が必要になると共に最適な伝送特性の推定に多くの時間を要するという不都合があった。
【０００６】
本発明は、前述の課題に鑑みてなされたもので、通信時の伝送路状態に適した通信を行うことができ、さらに複数のノードが接続されていても効率的に各ノードの最適な伝送特性に検出することができる電力線通信システム、電力線通信方法及び電力線通信プログラムを提供することを目的とする。
【課題を解決するための手段】
【０００７】
本発明は、前記課題を解決するために以下の構成を採用した。すなわち、本発明の電力線通信システムは、親機と複数のノードとの間で電力線を介してデータの通信を行う電力線通信システムであって、前記親機が、自己が休止状態であって受信可能であることを示すアイドル情報を前記ノードに周期的に送信する際に、互いに異なる周波数の複数のキャリアで前記送信を行うと共に前記アイドル情報に前記キャリアの情報を含めて送信するアイドル情報送信部と、前記ノードから送信されるデータを受信する親機側受信部とを備え、前記ノードが、前記アイドル情報を受信するアイドル情報受信部と、前記アイドル情報の受信時に前記キャリアの情報及び受信状態を統計情報として記憶する統計情報記憶部と、記憶した最新の前記統計情報に基づいて前記キャリアのうち受信状態が良好なものを最適キャリアとして選択した情報を最適キャリア情報として前記親機に送信する最適キャリア情報送信部と、前記最適キャリア情報に基づいて変更した前記キャリアで前記親機にデータを送信するノード側送信部とを備え、前記親機側受信部が、受信した前記最適キャリア情報に基づいて自己のキャリアの設定を変更することを特徴とする。
【０００８】
また、本発明の電力線通信方法は、親機と複数のノードとの間で電力線を介してデータの通信を行う電力線通信方法であって、自己が休止状態であって受信可能であることを示すアイドル情報を前記ノードに周期的に送信する際に、互いに異なる周波数の複数のキャリアで前記送信を行うと共に前記アイドル情報に前記キャリアの情報を含めて送信するステップと、前記ノードが、前記アイドル情報を受信するステップと、前記アイドル情報の受信時に前記キャリアの情報及び受信状態を統計情報として記憶するステップと、記憶した最新の前記統計情報に基づいて前記キャリアのうち受信状態が良好なものを最適キャリアとして選択した情報を最適キャリア情報として前記親機に送信するステップと、前記最適キャリア情報に基づいて変更した前記キャリアで前記親機にデータを送信するステップとを備え、前記親機が、受信した前記最適キャリア情報に基づいて自己のキャリアの設定を変更するステップとを有することを特徴とする。
【０００９】
また、本発明の電力線通信プログラムは、親機と複数のノードとの間で電力線を介してデータの通信を行う電力線通信プログラムであって、自己が休止状態であって受信可能であることを示すアイドル情報を前記ノードに周期的に送信する際に、互いに異なる周波数の複数のキャリアで前記送信を行うと共に前記アイドル情報に前記キャリアの情報を含めて送信するステップと、前記ノードが、前記アイドル情報を受信するステップと、前記アイドル情報の受信時に前記キャリアの情報及び受信状態を統計情報として記憶するステップと、記憶した最新の前記統計情報に基づいて前記キャリアのうち受信状態が良好なものを最適キャリアとして選択した情報を最適キャリア情報として前記親機に送信するステップと、前記最適キャリア情報に基づいて変更した前記キャリアで前記親機にデータを送信するステップとを備え、前記親機が、受信した前記最適キャリア情報に基づいて自己のキャリアの設定を変更するステップとをコンピュータに実行させることを特徴とする。
【００１０】
これらの電力線通信システム、電力線通信方法及び電力線通信プログラムでは、親機からアイドル情報をノードに周期的に送信する際に、互いに異なる周波数の複数のキャリアで送信を行い、ノードでアイドル情報の受信状態を統計情報として記憶すると共に最新の統計情報に基づいて受信状態が良好な最適キャリアを選択して親機とノードとの通信を行うので、周期的に送信されるアイドル情報を利用することで別途パイロットトーンの送信を行う必要がないと共に、逐次更新される最新の統計情報を用いて容易に最適な伝送路の推定を行うことができる。
【００１１】
また、本発明の電力線通信システムは、前記アイドル情報送信部が、複数の前記キャリアを複数組に分け、これら各組を周期的に切り替えて前記送信を行うことを特徴とする。すなわち、この電力線通信システムでは、複数組に分けたキャリアの各組を周期的に切り替えて送信するので、各ノードでは、分割されて制限された数のキャリアだけを同時に処理すればよく、処理能力の増大を図る必要がないと共に、記憶してある統計情報から短時間で最適な伝送特性（キャリア）の推定を行うことができる。
【００１２】
また、本発明の電力線通信システムは、前記最適キャリア情報送信部が、前記統計情報として記憶した前記キャリア毎の受信パケット数に基づいて前記最適キャリアを選択することを特徴とする。すなわち、この電力線通信システムでは、キャリア毎の受信パケット数に基づいて最適キャリアを選択するので、受信パケット数の上位のキャリアを選択することで容易に最適キャリアを得ることができる。
【００１３】
また、本発明の電力線通信システムは、前記キャリアの組を切り替える周期が、１０ｍｓｅｃに設定されていることを特徴とする。すなわち、この電力線通信システムでは、キャリアの組を切り替える周期が１０ｍｓｅｃに設定されているので、５０Ｈｚの交流で駆動される家電製品等で採用されることが多い２０ｍｓｅｃのスイッチング周期に対応させることができ、伝送路の状態変化が生じ易い周期に併せて効率的に最適なキャリアを得ることができる。
【００１４】
また、本発明の電力線通信システムは、前記ノードが、センサ機能を有し、前記ノード側送信部が、前記センサ機能で計測したデータを送信することを特徴とする。すなわち、この電力線通信システムでは、センサ機能を有する各ノードの計測データを送信するので、複数のノードから計測データを良好な通信品質で親機に集中的に収集させる自動検針システムを実現することができる。
【発明の効果】
【００１５】
本発明によれば、以下の効果を奏する。
すなわち、本発明に係る電力線通信システム、電力線通信方法及び電力線通信プログラムによれば、親機から互いに異なる周波数の複数のキャリアでアイドル情報の送信を行い、ノードでアイドル情報の受信状態を統計情報として記憶すると共に最新の統計情報に基づいて最適キャリアを選択し、親機とノードとの通信を行うので、別途パイロットトーンの送信を行う必要がないと共に、最新の統計情報を用いて容易に最適な伝送路の推定を行うことができる。したがって、周期的なアイドル情報の受信状態を利用して各ノードが使用可能なキャリアのうち最適キャリアを容易に選択して通信を行うことができ、通信品質が改善されて伝送速度を向上させることができる。この技術を自動検針システムに適用することで、複数のセンサによる計測データを良好な通信品質で集中的に収集することができる。
【発明を実施するための最良の形態】
【００１６】
以下、本発明に係る電力線通信システム、電力線通信方法及び電力線通信プログラムの一実施形態を、図１から図４を参照しながら説明する。
本実施形態の電力線通信システムは、例えばビルや集合住宅等に設置され、水道やガスの検針等の自動検針を行って計測データを収集するシステムであり、図１に示すように、計測データ等の種々の情報を集中管理する親機１と検針用のセンサ機能を有するセンサ部Ｓを備えた複数の子機（ノード）２との間で電力線Ｌを介してデータの通信を行う電力線通信システムである。なお、親機１及び各子機２は、いずれも電力線Ｌに接続されて電力の供給を受けている。
【００１７】
上記親機１は、自己が休止状態であって受信可能であることを示すアイドル情報を子機２に周期的に送信するように設定され、その際に、互いに異なる周波数の複数のキャリアで送信を行うと共にアイドル情報にキャリアの情報を含めて送信するアイドル情報送信部３と、子機２から送信されるデータを電力線Ｌを介して受信する親機側受信部４と、受信したデータを記憶する親機側記憶部５と、子機２に対してデータを親機１に送信させる指示等を電力線Ｌを介して送信する親機側送信部６とを備えている。
【００１８】
上記子機２は、水道メータやガスメータ等に設けられ水道やガスの使用量をカウントする上記センサ部Ｓと、親機１から送信されるアイドル情報を受信するアイドル情報受信部７と、アイドル情報の受信時にキャリアの情報及び受信状態を統計情報として記憶する統計情報記憶部８と、記憶した最新の統計情報に基づいてキャリアのうち受信状態が良好なものを最適キャリアとして選択した情報を最適キャリア情報として親機１に送信する最適キャリア情報送信部９と、最適キャリア情報に基づいて変更したキャリアを用いて親機１に対しセンサ部Ｓで計測したデータを電力線Ｌを介して送信するノード側送信部１０と、親機１からのデータ送信指示等を電力線Ｌを介して受信するノード側受信部１１とを備えている。
また、上記最適キャリア情報送信部９は、統計情報として記憶したキャリア毎の受信パケット数に基づいて最適キャリアを選択するように設定されている。
【００１９】
また、親機１の親機側受信部４は、受信した最適キャリア情報に基づいて自己のキャリアの設定を変更するように設定されている。
さらに、アイドル情報送信部３は、複数のキャリアを複数組に分け、これら各組を周期的に切り替えて送信を行うように設定されている。このキャリアの組を切り替える周期は、１０ｍｓｅｃに設定されている。
【００２０】
なお、本電力線通信システムにおけるデータの各処理部、すなわちアイドル情報送信部３、親機側受信部４、親機側記憶部５、親機側送信部６、アイドル情報受信部７、統計情報記憶部８、最適キャリア情報送信部９、ノード側送信部１０、ノード側受信部１１等は、専用のハードウェアにより実現されるものであってもよく、また、各処理部はコンピュータシステムとしてメモリ及びＣＰＵ（中央集積装置）により構成され、各処理部の機能及び後述する本実施形態の情報収集方法（電力線通信方法）を実現するためのプログラムをメモリにロードして実行することによりその機能を実現させるものであってもよい。
【００２１】
すなわち、上記プログラムは、コンピュータ読み取り可能なプログラムであり、前述した機能及び後述する情報収集方法の一部を実現するためであってもよい。さらに、上記プログラムは、前述した機能をコンピュータシステムに既に記録されているプログラムとの組み合わせで実現できるもの、いわゆる差分ファイル（差分プログラム）であってもよい。
【００２２】
また、上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電力線、電話回線等の通信回線（通信線）のように、情報を伝送する機能を有する媒体をいうものとする。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ(Random Access Memory)のような揮発性のメモリ或いはこれらの組み合わせによるコンピュータ読み取り、書き込み可能な記録媒体より構成されるものとする。
【００２３】
次に、本実施形態の電力線通信システムにおける情報収集方法（電力線通信方法）について、図２から図４を参照して説明する。
【００２４】
まず、図２に示すように、親機１のアイドル情報送信部３から各子機２に対してアイドル情報を電力線Ｌを介して送信する（ステップＳ１）。この際、アイドル情報送信部３は、アイドル情報の中に送信においてどのキャリアを使用したかを示す使用キャリア情報を含めて送信を行う。また、アイドル情報送信部３は、互いに異なる周波数の複数のキャリアで送信を行う。例えば、図３に示すように、異なる周波数の使用可能なキャリアがＮｏ．１〜１９の１９本であるとすると、通信には１９本のうち８本のキャリアを１組にして使用する。なお、キャリアは低周波数側から順に番号を付している。
【００２５】
この際、アイドル情報送信部３は、１９本の中から８本のキャリア組合せを次の３グループに分けて順次繰り返し送信する。
グループＡ：Ｎｏ．「１，２，３，６，９，１２，１５，１８」
グループＢ：Ｎｏ．「１，２，３，７，１０，１３，１６，１９」
グループＣ：Ｎｏ．「１，２，４，５，８，１１，１４，１７」
【００２６】
なお、本実施形態では、低周波数側のＮｏ．１，２のキャリアは固定キャリアとして常に使用する設定とし、各組に含めている。
また、アイドル情報送信部３は、上記３グループの１組を２．５ｍｓｅｃ間隔で４回（２．５ｍｓｅｃ×４＝１０ｍｓｅｃ）、各子機２に対して送信し、１０ｍｓｅｃ間隔で組を切り替えて送信を行う。
【００２７】
次に、各子機２のアイドル情報受信部７では、信号を受信すると、受信した情報がアイドル情報か否かを判別し（ステップＳ１）、アイドル情報である場合は、アイドル情報送信に使用された各キャリアの使用回数をカウントする（ステップＳ２）。さらに、アイドル情報受信部７は、アイドル情報送信に使用された８本のキャリア毎に処理を開始する（ステップＳ３）。まず、キャリア毎にアイドル情報を受信できたかを判別し（ステップＳ４）、キャリア毎に何回受信できたかをカウントする（ステップＳ５）。この処理を８本のキャリア全てで繰り返し行う（ステップＳ６）。
【００２８】
統計情報記憶部８は、使用回数が例えば２５５回に達したキャリアがあるかどうかを判別し（ステップＳ７）、２５５回に達したキャリアについて、その受信回数を統計情報として更新し、記録する（ステップＳ８）。すなわち、統計情報記憶部８では、アイドル情報が２５５回送信される度に、送信使用されたキャリアが受信できたカウント数（受信パケット数）を統計情報として更新する。
さらに、統計情報記憶部８は、統計情報を更新したキャリアの使用回数、受信回数をリセットし（ステップＳ９）、新たにカウントを行う。そして、統計情報記憶部８は、更新した統計情報から受信回数の多い上位６位までのキャリアを記憶する（ステップＳ１０）。
【００２９】
親機１は、図３に示すように、各子機２Ａ，２Ｂからセンサ部Ｓで得たデータを収集する場合、親機側送信部６から各子機２Ａ，２Ｂに対してデータ送信指示を電力線Ｌを介して送信する。ノード側受信部１１でデータ送信指示を受信した子機２では、以下の送信処理を行う。
すなわち、最適キャリア情報送信部９は、図３及び図４に示すように、統計情報から受信回数の多い上位６位までのキャリアを最適キャリアとして選択、取得し（ステップＳ１１）、この最適キャリアの情報（最適キャリア情報）をノード側送信部１０を介して親機１へ送信する（ステップＳ１２）。すなわち、キャリアのうち受信状態が良好なもの６位までを最適キャリアとして選択した情報を最適キャリア情報とする。
【００３０】
例えば、図３に示すように、子機２Ａでは、キャリアＮｏ．３，５，７，１２，１３，１４及び固定キャリアＮｏ．１，２の８つのキャリアが選択される。また、子機２Ｂでは、キャリアＮｏ．３，４，５，９，１１，１５及び固定キャリアＮｏ．１，２の８つのキャリアが選択される。
この親機１に送信される最適キャリア情報は、親機１に対するキャリアの変更要求命令となる。
【００３１】
次に、親機側受信部４では、最適キャリア情報を受信すると共に最適キャリア情報に基づいてキャリアの変更設定を行う（ステップＳ１２）。また、ノード側送信部１０は、最適キャリア情報に基づいてキャリアを変更し（ステップＳ１３）、当該キャリアで親機１にデータを送信する（ステップＳ１４）。
さらに、親機側受信部４では、各子機２Ａ，２Ｂから送信されたデータを受信し、親機側記憶部５がこれらのデータを記録、収集する。
【００３２】
このように本実施形態では、親機１からアイドル情報を子機２に周期的に送信する際に、互いに異なる周波数の複数のキャリアで送信を行い、子機２でアイドル情報の受信状態を統計情報として記憶すると共に最新の統計情報に基づいて最適キャリアを選択して通信を行うので、周期的に送信されるアイドル情報を利用することで別途パイロットトーンの送信を行う必要がないと共に、逐次更新される最新の統計情報を用いて容易に最適な伝送路の推定を行うことができる。
【００３３】
また、複数組に分けたキャリアの各組を周期的に切り替えて送信するので、各子機２Ａ，２Ｂでは、分割されて制限された数のキャリアだけを同時に処理すればよく、処理能力の増大を図る必要がないと共に、記憶してある統計情報から短時間で最適な伝送特性（キャリア）の推定を行うことができる。
さらに、キャリア毎の受信パケット数に基づいて最適キャリアを選択するので、受信パケット数の上位のキャリアを選択することで容易に最適キャリアを得ることができる。
【００３４】
また、キャリアの組を切り替える周期が１０ｍｓｅｃに設定されているので、５０Ｈｚの交流で駆動される家電製品等で採用されることが多い２０ｍｓｅｃのスイッチング周期に対応させることができ、伝送路の状態変化が生じ易い周期に併せて効率的に最適なキャリアを得ることができる。
このように本電力線通信システムでは、逐次更新されノッチやノイズの少ない最適なキャリアを使用して各子機２の計測データを収集するので、計測データを良好な通信品質で集中的に収集する自動検針システムを実現することができる。
【００３５】
なお、従来、電力線Ｌを使用した電力線通信では、漏洩電界や消費電力の関係から、出力する電力をあまり大きくできないという問題があった。しかし、上述した本発明の実施形態による電力線通信システムを使用すれば、ノッチやノイズの生じていないチャネルにデータを配置して電力線通信を行うため、通信に要する消費電力を小さくすることができ、漏洩電界が小さいと共に通信品質の良好な状態を保ちながら電力線通信を行うことが可能となる。
【００３６】
以上、本発明の実施形態について図面を参照して説明したが、具体的な構成については上記実施形態に限定されるものではなく、本発明の要旨を逸脱しない範囲の設計変更等が可能である。
例えば、上記実施形態では、１９本のキャリアのうち８本のキャリアを３組に分けてアイドル情報を送信したが、８本以外の本数のキャリアでも構わず、２組又は４組以上に分けてアイドル情報を送信しても構わない。また、受信回数の上位６位までのキャリア及び固定キャリアを最適キャリアに選択したが、上位の任意数のキャリアを選択することができる。
【図面の簡単な説明】
【００３７】
【図１】本発明に係る一実施形態の電力線通信システム、電力線通信方法及び電力線通信プログラムにおいて、システム全体を示す構成図である。
【図２】本実施形態において、アイドル情報の送受信に関するフローチャートである。
【図３】本実施形態において、アイドル情報受信に基づく最適キャリアの選択を示す説明図である。
【図４】本実施形態において、データの送受信に関するフローチャートである。
【符号の説明】
【００３８】
１…親機、２、２Ａ、２Ｂ…子機（ノード）、３…アイドル情報送信部、４…親機側受信部、６…親機側送信部、７…アイドル情報受信部、８…統計情報記憶部、９…最適キャリア情報送信部、１０…ノード側送信部、１１…ノード側受信部、Ｌ…電力線、Ｓ…センサ部
【図１】
2008017185.tif 000003
【図２】
2008017185.tif 000004
【図３】
2008017185.tif 000005
【図４】
2008017185.tif 000006